(57)【要約】      （修正有）【課題】緊急を要する葬儀時に対応する手段として入手容易で且つ制作容易なウイング法名戒名紙を提供する。【解決手段】中央部１ｂに透かしや下絵として宗派の尊像或いは仏、聖人、観音や蓮華の図柄をカラーにて表しその上に法名戒名を表記する。また左右に開くウイング１ａを設け、そのウイングに仏教各宗派に係る意味付けを持った画像または言語を表記し、または故人が活躍した分野に係る画像または言語を表記したことを特徴とする。【選択図】図１
0003184372.tif 000002
【実用新案登録請求の範囲】
【請求項１】
（１）仏式葬儀において祭壇の中央上部に安置し礼拝の対象となる白木の位牌に関し、上部に天蓋を表し下部に蓮華台にて構成される位牌紙の周囲に紋様等の図柄をカラーにて表した法名戒名紙。素材は紙及び合成紙。
（２）中央部に透かし手法或いは下絵として宗派の名号（南無阿弥陀仏等）或いは仏、聖人、観音等の図柄をカラーにて表した法名戒名紙。
（３）（１））（２）項に示す位牌紙に左右に開くウイングを設け、そのウイングに仏教各宗派に係る意味付けを持った画像または言語を表記し、また故人が活躍した分野に係る画像または言語を表記し、葬儀執行時ウイングを左右に広げ礼拝の対象とする。また癒し効果を持たせる。
（４）（１）から（３）項並びに示す紙ならび合成紙によるウイング法名戒名紙を台座または位牌に貼付け使用する
（５）法名戒名紙として使用する外に、納棺書として棺の内部に使用する利用も含む。
（６）制作手法はパソコンによるカラー出力または印刷による専用紙に毛筆にて所要を記載、捺印しラミルート処理し格調高い品格を提供する。
【請求項２】
（１）本位牌、繰出し位牌、繰出し過去帖に於いて、繰出し位牌部に法名軸のイメージを持たせた法名板や透かし手法或いは下絵として宗派の名号（南無阿弥陀仏等）或いは仏、聖人、観音等の図柄をカラーにて表した戒名板。
（２）繰出し位牌、繰出し過去帖に於いて、左右に開く扉部分に仏教各宗派に係る意味付けを持った画像または言語を表記した繰出し位牌、繰出し過去帖。
【考案の詳細な説明】
【技術分野】
【０００１】  本考案は、葬儀における故人の法名、戒名を中心に死亡年月日、俗名、年齢等、故人を象徴するものとして祭壇の中央に設置される白木の位牌に使用する法名戒名紙に関するものである。  仏教徒として受戒した者に与えられる仏名前を戒名と呼びますが、（公序良俗違反につき、不掲載）では戒律を求めない為、法名と呼びます。また（公序良俗違反につき、不掲載）では法号と呼ばれます。
【背景技術】
【０００２】  特定の宗派（公序良俗違反につき、不掲載）において位牌は教理に反する為用いず、法名軸と言われる掛軸、或いは過去帖を使用することになりますが、現実には緊急を要する葬儀時に対応する事は難しく、また葬儀業界に周知徹底させる事も困難で不本意ながら白木の位牌に直接記入するか、または上部に天蓋を下部に蓮華台を表記した法名紙と呼ばれる紙を使用し、法名を中心に死亡年月日、俗名、年齢等を記載し白木の位牌に貼付け使用している。【０００３】  位牌には、葬儀に使用する白木の位牌の他、葬儀後一定期間、例えば４９日経過後、白木から本位牌と呼ばれる黒塗りの位牌、更に複数の薄い木の札が重ねて納められるようにした箱状の繰出し位牌（公序良俗違反につき、不掲載）がある。本考案は白木の位牌に関して主に考案内容を説明するが、その応用として本位牌、繰出し位牌への応用を提案すると共に、位牌の使用を可とする宗派への使用について新規性を主張する。
【先行技術文献】
【０００４】    特定の宗派（公序良俗違反につき、不掲載）において位牌は教理に反する為用いず、法名軸と言われる掛軸、或いは過去帖を使用することになりますが、緊急を要する葬儀時には対応しきれない
【０００５】
【特許文献１】  実開平６−７５２８２  公報  移動式法名軸紙掛  実開平６−７５２８２では折り畳み可能な屏風状衝立に法名軸紙を掛け、屏風状衝立の開き状態基端部を着脱可能に勘合する台座を設けたもので、屏風には単なる法名軸を掛ける機能のみで宗派の尊像や蓮華等の画像を表記する等、宗派の教えや遺族への癒しの効果を持たせた図像等は表記されて居ない。
【特許文献２】  登録実用新案第３０５３３７４号  法名掛軸並び掛軸吊台  登録実用新案第３０５３３７４号では総裏打した肌裏打して屏風細身と外、内細身と外内細身をねずみ色の和紙で重ね、白地金襴を屏風や外、内縁と各順序で重ね貼りして、中央に法名紙を貼り、軸棒と吊紐をつけて仕上げる。吊台は台座の部分と後背の部分で構成され、後背の下中央及び支柱の根本を凸状型にして台座に抜差し固定し、先端に吊金具を設けたもりので、本考案も緊急を要する葬儀時、通常葬儀社が持参する白木位牌に取って替わり得る要素を持合わせず汎用性に欠ける。
【非特許文献】
【０００６】
【非特許文献１】  （公序良俗違反につき、不掲載）  法名額  図６Ｂに外形を示す。特定の宗派（公序良俗違反につき、不掲載）作成したもの。  白木の位牌は通常４９日納骨法要後黒塗りの本位牌に置き換え白木位牌そのものは回収され廃棄処分される。特許文献１，２並び非特許文献１においては、回収する等負担も増大する。この点流通経路に工夫を要する。
【考案の概要】
【考案が解決するための手段】
【０００７】  特定の宗派（公序良俗違反につき、不掲載）において位牌は教理に反する為用いず、法名軸と言われる掛け軸、或いは過去帖を使用することになるが、緊急を要する葬儀時には対応しきれない事は前述したが、これらに対処する対応策として特許文献１で移動式法名軸紙掛の提案、特許文献２では屏風袋の提案がなされている。また非特許文献１で示した（公序良俗違反につき、不掲載）による法名額が提案されているが、いずれも白木位牌に対して汎用性に欠け緊急を要する葬儀時には対応しきれない。
【０００８】  これら緊急を要する葬儀時に対応する手段として入手容易で且つ制作容易なウイング法名戒名紙を提案する。
【課題を解決するための手段】
【０００９】  上記目的を達成するために、図２に示す特定の宗派（公序良俗違反につき、不掲載）における対応として、考案したウイング法名戒名紙は、三つ折構成にて中央部には従来の位牌紙に相当する部分とし、上部に天蓋を下部に蓮台をあしらい、周囲には宗派の本山の紋様を填め込み法名軸のイメージを作り込みしている。また信仰の対象となる宗祖や観音像、仏像を透かし表示の下絵として表示する手法も含まれる。また三つ折の左右のウイングには、来迎図や１３仏、三尊仏、蓮華模様、或いは６字名号と呼ばれる「南無阿弥陀仏」等の６文字をカラー表示する事により宗派の教理にも反する事なく葬儀時癒し効果も期待される。更に、故人の人物像やゆかりの深い場所、建物、例えば学校等、生涯に渉り打ち込んで来た事項に係る画像を具現化し表示する。
【００１０】  これらを印刷やパソコンにて出力後、必要事項（法名、俗名、没日、年齢等）を書込みラミネート加工を施し三つ折しウイング部を任意の角度に内側に折り曲げ、図３に示す台座に設けられたハの字型に溝を設けた台座に差込み自立し使用する。
【００１１】  また位牌の使用を可とする宗派に於いては、図２の（ｂ）に示す様に中央部背面に両面接着テープを貼り白木の位牌に装着する。また葬儀以降の法事の場合は、図１１（参考写真１１）に示す如く、本位牌のメージを損なう事無く、中央部は黒地にて、宗教的必要事項（法名、俗名、没日、年齢等）橙系や白系で表示する事により、本位牌にとって替わりえる新しい価値観を持った仏具として提供する。更に、繰出し過去帖等への応用も図１２（参考写真１２）に示す。特定の宗派（公序良俗違反につき、不掲載）は対しては、本考案を採用する事により従前からのしきたりに何ら反する事なく使用する事が可能で、且つウイング部に表示された宗派の教えや遺族への癒し効果も持合わせ、現実に即応した新しい仏具として利便性が得られる。
【考案の効果】
【００１２】  特定の宗派（公序良俗違反につき、不掲載）においては教理に反する為用いず、法名軸と言われる掛け軸、或いは過去帖を使用することになりますが、本考案により教理に反する事なく祭壇中央部設置し得る。
【００１３】  位牌の使用を可とする宗派に於いては、本考案のウイング法名戒名紙を位牌紙として使用し戒名等必要事項を書込み、中央部背面に両面接着テープを装着し白木の位牌に取付け儀時、祭壇中央部に設置する。
【００１４】  左右のウイング部にそれぞれの宗派に係る信仰の対象となるべき象徴すべき画像を表記する事により宗派の教えを啓蒙する効果と葬儀時遺族に対して癒し効果を持合わせる。
【００１５】  更に、故人が生涯に渉り活躍した事柄や貢献した分野についての業績を具現化した図象を表記する事により、故人の願望を満たすであると共に遺族への癒し効果を持合わせる事が出来る。
【００１６】  （公序良俗違反につき、不掲載）
【図面の簡単な説明】
【図１】本考案の実施例を示す。Ａは特定の宗派（浄土真宗）に適用する場合の斜視図、Ｂは位牌の使用を可とする宗派に於ける斜視図である
【図２】本考案の核となるウイング法名戒名紙を示す。正面図（ａ）、側面図（ｂ）、平面図（ｃ）を示する。
【図３】ウイング法名戒名紙を設置する為の台座の３面図を示す。正面図（ａ）、側面図（ｂ）、平面図（ｃ）を示する。
【図４】本考案に係るのウイング法名戒名紙を台座に装着する手法を示す。
【図５】本考案のウイング法名戒名紙の実装３面図を示す。Ａは特定の宗派（浄土真宗）に適用する場合の３面図、Ｂは位牌の使用を可とする宗派に於ける３面図である。
【図６】Ａに従来の法名紙を白木の位牌に貼り付した正面図。Ｂは白木の位牌に替わる専用の法名額の事例。セレモ平安製
【図７】本考案に係るウイング法名戒名紙の宗教的意味合いを記載する三つ折の中央部の事例を示す。
【図８】特定の宗派（浄土真宗）に適用するウイング法名戒名紙の使用事例を示す。ラミネート加工を施した後、内側に約３０度程度折り曲げ、台座に装着する。
【図９】ウイング部に故人の人物像やゆかりの深い業務、具現化した画像を表示。
【図１０】位牌の使用を可とする宗派に於けるウイング法名戒名紙の使用事例。白木の位牌を台として使用し、本考案のウイング付法名戒名紙の装着３事例を示す。
【図１１】本位牌への応用を示す。
【図１２】繰出し過去帖に応用した例を示す。扉部分をウイング部として活用。
【考案を実施するための形態】
【００１７】以下本考案の実施の形態を図に基づいて説明する。
【実施例１】
【００１８】図８（参考写真  図８）は特定の宗派（公序良俗違反につき、不掲載）に適用するウイング法名戒名紙の実施例である。中心である法名欄には法名軸のイメージを作り込みした紋様模様を示す。左右のウイング部は、Ａにはウイング部には阿弥陀三尊像表示し、Ｂは宗派の６字名号と呼ばれる「南無阿弥陀仏」表記の掛軸を示す、Ｃは蓮華模様を表示。図９（参考写真  図９）にはＡのウイング部には歌舞伎界で活躍した故人の業績を顕彰。Ｂは特撮関係にて業績を残した故人を称えた事例。何れも台座は図３に示すハ字形の勘合溝へ填め込み自立し使用する。【００１９】  位牌の使用を可とする宗派に於けるウイング法名戒名紙の使用事例を図１０（参考写真  図１０）に示する。何れも中央部には戒名を表記し、Ａはウイング部には観音像を示す。Ｂは中央部（法名や戒名を記載する部分）には１３仏を下絵に、左右ウイング部には蓮華模様を示す。Ｃは中央部には阿弥陀三尊を下絵には左右ウイング部には蓮華模様を示す。何れも白木の位牌に直接貼りつけ使用する。【００２０】図７（参考写真  図７）にウイング法名戒名紙の宗教的必要事項を記載する中央部の実装３面図を示す。Ａ、Ｂには法名軸のイメージを持合わせた紋様模様、法名軸のイメージを窺わせる紋様を配置し、上部に天蓋、下部に蓮華台を現す。特定の宗派（公序良俗違反につき、不掲載）に於いては、近年女性の法名には゛尼゛を使用しない事になり、性別の区別が法名だけでは判別し難いため、男性では周囲枠を青に図７（参考写真７）のＢ、女性では赤にて表記し性別の判別を容易ならしめた。図７（参考写真７）のＡに示す。  法名軸以外の事例としては、宗派の信仰の祖となる仏像を背景として透かし表示した例や宗派の象徴的仏像や観音像等を下絵として透かし表示し拝礼の対象としての役目を持たせた。図７（参考写真７）のＣからＥに示す。【００２１】  持運び等移動に際しウイング部に支障が生じる場合は左右ウイングを内側に１８０度完全に折り曲げ輪ゴム等で仮固定する事により支障なく移動できる。
本考案のウイング法名戒名紙の材質は上質紙、光沢紙が望ましく普通紙でもラミネート処理するため使用可能である。【００２２】  図２に折り曲げ、ラミネート加工後のウイング法名戒名紙を示す。
縦方向の寸法Ｈは大では３００ｍｍ、中で２４０ｍｍである。また法名を記載する中心部横幅Ｗ２は大では７５ｍｍ、中で６０ｍｍである。
ウイングの横幅Ｗ１の大では５５ｍｍ、中で４５ｍｍである【００２３】  ウイング部１ａ、１ｃにおける画像は図８（参考写真８）の（Ａ）に示す阿弥陀三尊像や（Ｂ）に示す６字名号、（Ｃ）には蓮華模様を示す。この他、各宗派特有の画像を使用する事も含まれる。【００２４】既存の実用新案公開平６−７５２８２と異なる点は法名記載欄に法名軸としてのイメージを確保するため本山の紋様柄、或いは法名記載欄に透かし背面描写した仏像等の表現にある。図７，８，９、（参考写真７、８、９）
【実施例２】
【００２５】  図１０（参考写真１０）に位牌への使用を可とする宗派に於けるウイング法名戒名紙の実施事例を示す。
宗教的必要事項の記載部分である中心部には従来の白木の位牌に記載されている戒名を記載する。図１０のＡはウイング部には観音像示す。Ｂ、Ｃには各宗派の拝礼の対象となる仏像等の図柄を下絵とした事例を示す。ウイング部には蓮華模様を表記し信仰の教えや癒しの効果が得られる。
【実施例３】
【００２６】  図１１（参考写真１１）は本位牌への応用を示す。特定の宗派（公序良俗違反につき、不掲載）に適用するウイング法名戒名紙の葬儀後の本位牌に替わる法名盾として仏壇内に設置する。従来は過去帖もしくは法名軸を使用しますが、仏壇内における拝礼の対象として本位牌に固執される事が多く、本考案の法名盾を本位牌に代わり教理に反する事なく拝礼のた対象として仏壇内に設置する事が出来る。  Ａはウイング部には阿弥陀三尊像を示す。Ｂは１３仏を、Ｃは蓮華模様を示す。何れも中央部は本位牌と同様黒地として、周囲には法名軸のイメージを備えている。  本位牌（黒塗り紫檀、黒檀製）の替わりにを使用する場合で、仏壇の寸法に合わせ、ウイング法名戒名紙を選び、台座にウイング部を差込固着させる事により屏風状の衝立として自立する事が出来る。
【実施例４】
【００２７】  図１２（参考写真１２）には特定の宗派（公序良俗違反につき、不掲載）に対する繰出し過去帖への応用を示す。勿論、位牌の使用を可とする宗派に対する繰出し位牌への応用も当然含まれる。Ａは中央の法名記載部には南無阿弥陀仏を表記し、左右扉にはウイング部のイメージを持たせ１３仏表記した事例。Ｂはウイング部には観音像を表記した法名軸のイメージを持たせている。Ｃはウイング部に蓮華模様を表記している。
【産業上の利用可能性】
【００２８】  本考案は特定の宗派（公序良俗違反につき、不掲載）においては葬儀における白木の位牌は教理に反し使用する事ができないが、緊急時を要する葬式等では葬儀業界に徹底されず、白木の位牌を使用するか、やむを得えず法名紙を白木の位牌に貼付け葬儀を執行していた。  本考案により教理に反する事なく白木の位牌を使用せず葬儀祭壇に設置する事ができる。  位牌の使用を可とする宗派においては、ウイング法名戒名紙の使用は新しい仏具としてのイメージを醸し出し葬儀における遺族への癒し効果や宗派の教理への理解や啓蒙活動が計られる。【００２９】  本位牌への対応  特定の宗派（公序良俗違反につき、不掲載）において４９日法要に際し白木の位牌から過去帖や法名軸に切替る事が教理上教えられているが、多くの信者は黒塗りの紫檀や黒檀等を素材にした本位牌に切替えが多い。図１１（参考写真１１）に示す如く、本考案のウイング法名戒名紙を使用する事により教理に反する事なく仏壇内に設置し、過去帖への記載まで信仰の対象として使用できる新しい仏具として評価できる。【００３０】  繰出し過去帖への適用。
従来の繰出位牌、繰出し過去帖は中心部に宗教的表示である法名や戒名を表記し、左右の扉があるのみである。図１２（参考写真１２）に示す、本考案のウイング付法名戒名紙の要素を取入れ左右の扉に宗派の信条である図象を表記し教理への教示や癒し効果を持たせ、従来にないイメージを醸し出し仏具の新しい展開が期待される。【００３１】本考案のウイングき法名紙をラミネート加工し本位牌の替わりに使用する最大のメリットは低価格で提供できる事にある。
ラミネート処理を施す事により湿気等の影響を受けにくく、従来の本位牌より防塵処理されている為劣化に対応し得る。
【符号の説明】１    ウイング付き法名紙
１ａ  ウイング部（左）
１ｂ  法名記載部
１ｃ  ウイング部（右）
２    台座、白木位牌
３    両面接着テープ
Ｗ１  ウイング部巾
Ｗ２  中心法名記載部巾
Ｈ    ウイング付き法名戒名紙全長
【図１】
0003184372.tif 000003
【図２】
0003184372.tif 000004
【図３】
0003184372.tif 000005
【図４】
0003184372.tif 000006
【図５】
0003184372.tif 000007
【図６】
0003184372.tif 000008
【図７】
0003184372.tif 000009
【図８】
0003184372.tif 000010
【図９】
0003184372.tif 000011
【図１０】
0003184372.tif 000012
【図１１】
0003184372.tif 000013
【図１２】
0003184372.tif 000014
【手続補正書】
【提出日】平成25年4月3日(2013.4.3)
【手続補正１】
【補正対象書類名】実用新案登録請求の範囲
【補正対象項目名】全文
【補正方法】変更
【補正の内容】
【実用新案登録請求の範囲】
【請求項１】
中央部に透かしや下絵として宗派の尊像或いは仏、聖人、観音や蓮華の図柄をカラーにて表しその上に法名戒名を表記する、また左右に開くウイングを設け、そのウイングに仏教各宗派に係る意味付けを持った画像または言語を表記し、または故人が活躍した分野に係る画像または言語を表記したウイング法名戒名紙。
【手続補正２】
【補正対象書類名】明細書
【補正対象項目名】全文
【補正方法】変更
【補正の内容】
【考案の詳細な説明】
【技術分野】
【０００１】  本考案は、葬儀における故人の法名戒名を中心に死亡年月日、俗名、年齢等を記載し、故人を象徴するものとして祭壇の中央に設置される白木の位牌に関するものである。
仏教徒として受戒した者に与えられる仏名前を戒名と呼びますが、戒律を求めない宗派では法名と呼びます。
【背景技術】
【０００２】  特定の宗派において位牌は教理に反する為用いず、法名軸と言われる掛軸、或いは過去帖を使用することになりますが、現実には緊急を要する葬儀時に対応する事は難しく、また葬儀業界に周知徹底させる事も困難で不本意ながら白木の位牌に法名を直接記入するか、または上部に天蓋を下部に蓮華台を表記した法名紙と呼ばれる紙を使用し、法名や死亡年月日、俗名、年齢等を記載し白木の位牌に貼付け使用している。【０００３】  位牌には、葬儀に使用する白木の位牌の他、葬儀後一定期間、例えば４９日経過後、白木から本位牌と呼ばれる黒塗りの位牌、更に複数の薄い木の札が重ねて納められるようにした箱状の繰出し位牌に置換えます。本考案は白木の位牌に関して主に考案内容を説明するが、その応用として本位牌、繰出し位牌への適用について記載する。
【先行技術文献】
【０００４】  特定の宗派において位牌は教理に反する為用いず法名軸と言われる掛軸、或いは過去帖を使用することになりますが、緊急を要する葬儀時には対応しきれない
【０００５】
【特許文献１】  実開平６−７５２８２  公報  移動式法名軸紙掛  実開平６−７５２８２では折り畳み可能な屏風状衝立に法名軸紙を掛け、屏風状衝立の開き状態の基端部を着脱可能に勘合する台座を設けたもので、屏風には単なる法名軸を掛ける機能のみで宗派の尊像や蓮華等の画像を表記する等、宗派の教えや遺族への癒しの効果を持たせた図像等は表記されていない。
【特許文献２】  登録実用新案第３０５３３７４号  法名掛軸並び掛軸吊台  登録実用新案第３０５３３７４号では総裏打した肌裏打して屏風細身と外、内細身と外内細身をねずみ色の和紙で重ね、白地金襴を屏風や外、内縁と各順序で重ね貼りして、中央に法名紙を貼り、軸棒と吊紐をつけて仕上げる。吊台は台座の部分と後背の部分で構成され、後背の下中央及び支柱の根本を凸状型にして台座に抜差し固定し、先端に吊金具を設けたもりので、本考案も緊急を要する葬儀時、通常葬儀社が持参する白木位牌に取って替わり得る要素を持合わせず汎用性に欠ける。
【非特許文献】
【０００６】
【非特許文献１】  法名額  図６Ｂに外形を示す。特定の宗派向けに作成したもの。
白木の位牌は通常４９日納骨法要後黒塗りの本位牌に置き換え白木位牌そのものは回収され廃棄処分される。特許文献１，２並び非特許文献１においては、回収する等負担も増大する。この点流通経路に工夫を要する。
【考案の概要】
【考案が解決するための手段】
【０００７】  特定の宗派において位牌は教理に反する為用いず法名軸と言われる掛け軸、或いは過去帖を使用することになるが、緊急を要する葬儀時には対応しきれない事は前述したが、これらに対処する対応策として特許文献１で移動式法名軸紙掛の提案、特許文献２では屏風袋の提案がなされている。また非特許文献１で示した法名額が提案されているが、いずれも白木位牌に対して汎用性に欠け緊急を要する葬儀時には対応しきれない。
【０００８】  これら緊急を要する葬儀時に対応する手段として入手容易で且つ制作容易なウイング法名戒名紙を提案する。
【課題を解決するための手段】
【０００９】  上記目的を達成するために、図２に示す特定の宗派における対応として考案したウイング法名戒名紙は、三つ折構成にて中央部には従来の位牌紙に相当する部分とし、上部に天蓋を下部に蓮台をあしらい、周囲には紋様を填め込み法名軸のイメージを作り込みしている。また信仰の対象となる宗祖や観音像、仏像を下絵として透かし表示する手法も含まれる。
また三つ折の左右のウイングには、来迎図や１３仏、三尊仏、蓮華模様、或いは「南無阿弥陀仏」等の文字をカラー表示する事により宗派の教理にも反する事なく葬儀時癒し効果も期待される。更に、故人の人物像やゆかりの深い場所、建物、例えば学校等、生涯に渉り打ち込んで来た事項に係る画像を具現化し表示する。
【００１０】  これらを印刷やパソコンにて出力後、必要事項（法名、俗名、没日、年齢等）を書込みラミネート加工施し三つ折しウイング部を任意の角度に内側に折り曲げ、図３に示す台座に設けられたハの字型に溝を設けた台座に差込み自立し使用する。
【００１１】  また位牌の使用を可とする宗派に於いては、図２の（ｂ）に示す様に中央部背面に両面接着テープを貼り白木の位牌に装着する。また葬儀以降の法事の場合は、図１１（参考写真１１）に示す如く、本位牌のメージを損なう事無く、中央部は黒地にて、宗教的必要事項（法名、俗名、没日、年齢等）を橙系や白系で表示する事により、本位牌にとって替わりえる新しい価値観を持った仏具として提供する。
更に、繰出し過去帖等への応用も図１２（参考写真１２）に示す。
特定の宗派は対しては、本考案を採用する事により従前からのしきたりに何ら反する事なく使用する事が可能で、且つウイング部に表示された宗派の教えや遺族への癒し効果も持合わせ、現実に即応した新しい仏具として利便性が得られる。
【考案の効果】
【００１２】  特定の宗派においては教理に反する為用いず法名軸と言われる掛け軸、或いは過去帖を使用することになりますが、本考案により教理に反する事なく祭壇中央部設置し得る。
【００１３】    位牌の使用を可とする宗派に於いては、本考案のウイング法名戒名紙を位牌紙として使用し戒名等必要事項を書込み、中央部背面に両面接着テープを装着し白木の位牌に取付け儀時、祭壇中央部に設置する。
【００１４】    左右のウイング部にそれぞれの宗派に係る信仰の対象となるべき象徴すべき画像を表記する事により宗派の教えを啓蒙する効果と葬儀時遺族に対して癒し効果を持合わせる。
【００１５】    更に、故人が生涯に渉り活躍した事柄や貢献した分野についての業績を具現化した図象を表記する事により、故人の願望を満たすであろうと共に遺族への癒し効果を持合わせる事が出来る。
【００１６】    上質紙及び合成紙を使用しパソコンや印刷によりカラー出力し、必要事項を記入、或いはパソコンにて印字出力しラミネート加工するもので、低価格で提供できる。繰出し過去帖に応用する場合は左右の扉部に貼付け宗派の教えを啓蒙する効果が得られる。
【図面の簡単な説明】
【図１】本考案の実施例を示す。Ａは特定の宗派に適用する場合の斜視図、Ｂは位牌の使用を可とする宗派に於ける斜視図である
【図２】本考案の核となるウイング法名戒名紙を示す。正面図（ａ）、側面図（ｂ）、平面図（ｃ）を示する。
【図３】ウイング法名戒名紙を設置する為の台座の３面図を示す。正面図（ａ）、側面図（ｂ）、平面図（ｃ）を示する。
【図４】本考案に係るのウイング法名戒名紙を台座に装着する手法を示す。
【図５】本考案のウイング法名戒名紙の実装３面図を示す。Ａは特定の宗派に適用する場合の３面図、Ｂは位牌の使用を可とする宗派に於ける３面図である。
【図６】Ａに従来の法名紙を白木の位牌に貼り付した正面図。Ｂは白木の位牌に替わる専用の法名額の事例。
【図７】本考案に係るウイング法名戒名紙の宗教的意味合いを記載する三つ折の中央部の事例を示す。
【図８】特定の宗派に適用するウイング法名戒名紙の使用事例を示す。ラミネート加工を施した後、内側に約３０度程度折り曲げ、台座に装着する。
【図９】ウイング部に故人の人物像やゆかりの深い業務、具現化した画像を表示。
【図１０】位牌の使用を可とする宗派に於けるウイング法名戒名紙の使用事例。白木の位牌を台として使用し、本考案のウイング付法名戒名紙の装着３事例を示す。
【図１１】本位牌への応用を示す。
【図１２】繰出し過去帖に応用した例を示す。扉部分をウイング部として活用。
【００１７】  以下本考案の実施の形態を図に基づいて説明する。
【実施例１】
【００１８】  図８（参考写真  図８）は特定の宗派に適用するウイング法名戒名紙の実施例である。中心である法名欄には法名軸のイメージを作り込みした紋様模様を示す。左右のウイング部は、Ａにはウイング部には阿弥陀三尊像表示し、Ｂは「南無阿弥陀仏」表記の掛軸を示す、Ｃは蓮華模様を表示。図９（参考写真  図９）にはＡのウイング部には歌舞伎界で活躍した故人の業績を顕彰。Ｂは特撮関係にて業績を残した故人を称えた事例。何れも台座は図３に示すハ字形の勘合溝へ填め込み自立し使用する。【００１９】  位牌の使用を可とする宗派に於けるウイング法名戒名紙の使用事例を図１０（参考写真  図１０）に示する。何れも中央部には戒名を表記し、Ａはウイング部には観音像を示す。Ｂは中央部（法名や戒名を記載する部分）には１３仏を下絵に、左右ウイング部には蓮華模様を示す。Ｃは中央部には阿弥陀三尊を下絵には左右ウイング部には蓮華模様を示す。何れも白木の位牌に直接貼りつけ使用する。【００２０】  図７（参考写真  図７）にウイング法名戒名紙の宗教的必要事項を記載する中央部の実装５図を示す。
Ａ、Ｂには法名軸のイメージを持合わせた紋様模様、法名軸のイメージを窺わせる紋様を配置し、上部に天蓋、下部に蓮華台を現す。特定の宗派に於いては、近年女性の法名には゛尼゛を使用しない事になり、性別の区別が法名だけでは判別し難いため、男性では周囲枠を青に図７（参考写真７）のＢ、女性では赤にて表記し性別の判別を容易ならしめた。図７（参考写真７）のＡに示す。
法名軸以外の事例としては、宗派の信仰の祖となる仏像を背景として透かし表示した例や宗派の象徴的仏像や観音像等を下絵として透かし表示し拝礼の対象としての役目を持たせた。図７（参考写真７）のＣからＥに示す。【００２１】  持運び等移動に際しウイング部に支障が生じる場合は左右ウイングを内側に１８０度完全に折り曲げ輪ゴム等で仮固定する事により支障なく移動できる。
本考案のウイング法名戒名紙の材質は上質紙、光沢紙が望ましく普通紙でもラミネート処理するため使用可能である。【００２２】  図２に折り曲げ、ラミネート加工後のウイング法名戒名紙を示す。
縦方向の寸法Ｈは大では３００ｍｍ、中で２４０ｍｍである。また法名を記載する中心部横幅Ｗ２は大では７５ｍｍ、中で６０ｍｍである。
ウイングの横幅Ｗ１の大では５５ｍｍ、中で４５ｍｍである【００２３】  ウイング部１ａ、１ｃにおける画像は図８（参考写真８）の（Ａ）に示す阿弥陀三尊像や（Ｂ）に示す南無阿弥陀仏を表記した掛軸、（Ｃ）には蓮華模様を示す。この他、各宗派特有の画像を使用する事も含まれる。【００２４】  既存の実用新案公開平６−７５２８２と異なる点は法名記載欄に法名軸としてのイメージを確保するため紋様柄、或いは法名記載欄に透かし背面描写した仏像等の表現にある。図７，８，９、（参考写真７、８、９）
【実施例２】
【００２５】  図１０（参考写真１０）に位牌への使用を可とする宗派に於けるウイング法名戒名紙の実施事例を示す。
宗教的必要事項の記載部分である中心部には従来の白木の位牌に記載されている戒名を記載する。図１０のＡはウイング部には観音像示す。Ｂ、Ｃには各宗派の拝礼の対象となる仏像等の図柄を下絵とした事例を示す。ウイング部には蓮華模様を表記し信仰の教えや癒しの効果が得られる。
【実施例３】
【００２６】  図１１（参考写真１１）は本位牌への応用を示す。特定の宗派に適用するウイング法名戒名紙の葬儀後の本位牌に替わる法名盾として仏壇内に設置する。従来は過去帖もしくは法名軸を使用しますが、仏壇内における拝礼の対象として本位牌に固執される事が多く、本考案の法名盾を本位牌に代わり教理に反する事なく拝礼のた対象として仏壇内に設置する事が出来る。
Ａはウイング部には阿弥陀三尊像を示す。Ｂは１３仏を、Ｃは蓮華模様を示す。何れも中央部は本位牌と同様黒地として、周囲には法名軸のイメージを備えている。
本位牌（黒塗り紫檀、黒檀製）の替わりにを使用する場合で、仏壇の寸法に合わせ、ウイング法名戒名紙を選び、台座にウイング部を差込固着させる事により屏風状の衝立として自立する事が出来る。
【実施例４】
【００２７】  図１２（参考写真１２）には特定の宗派に対する繰出し過去帖への応用を示す。勿論、位牌の使用を可とする宗派に対する繰出し位牌への応用も当然含まれる。Ａは中央の法名記載部には南無阿弥陀仏を表記し、左右扉にはウイング部のイメージを持たせ１３仏表記した事例。
Ｂはウイング部には観音像を表記した法名軸のイメージを持たせている。
Ｃはウイング部に蓮華模様を表記している。
【産業上の利用可能性】
【００２８】  本考案は特定の宗派においては葬儀における白木の位牌は教理に反し使用する事ができないが、緊急時を要する葬式等では葬儀業界に徹底されず、白木の位牌を使用するか、やむを得えず法名紙を白木の位牌に貼付け葬儀を執行していた。
本考案により教理に反する事なく白木の位牌を使用せず葬儀祭壇に設置する事ができる。
位牌の使用を可とする宗派においては、ウイング法名戒名紙の使用は新しい仏具としてのイメージを醸し出し葬儀における遺族への癒し効果や宗派の教理への理解や啓蒙活動が計られる。【００２９】  本位牌への対応
特定の宗派において４９日法要に際し白木の位牌から過去帖や法名軸に切替る事が教理上教えられているが、多くの信者は黒塗りの紫檀や黒檀等を素材にした本位牌に切替えが多い。
図１１（参考写真１１）に示す如く、本考案のウイング法名戒名紙を使用する事により教理に反する事なく仏壇内に設置し、過去帖への記載まで信仰の対象として使用できる新しい仏具として評価できる。【００３０】  繰出し過去帖への適用。
従来の繰出位牌、繰出し過去帖は中心部に宗教的表示である法名や戒名を表記し、左右の扉があるのみである。図１２（参考写真１２）に示す、本考案のウイング付法名戒名紙の要素を取入れ左右の扉に宗派の信条である図象を表記し教理への教示や癒し効果を持たせ、従来にないイメージを醸し出し仏具の新しい展開が期待される。【００３１】  本考案のウイングつき法名紙をラミネート加工し本位牌の替わりに使用する最大のメリットは低価格で提供できる事にある。
ラミネート処理を施す事により湿気等の影響を受けにくく、従来の本位牌より防塵処理されている為劣化に対応し得る。
【符号の説明】    １    ウイング付き法名紙
１ａ  ウイング部（左）
１ｂ  法名記載部
１ｃ  ウイング部（右）
２    台座、白木位牌
３    両面接着テープ
Ｗ１  ウイング部巾
Ｗ２  中心法名記載部巾
Ｈ    ウイング付き法名戒名紙全長